(57)【要約】【課題】  光ディスクを保持するトレイの剛性を確保することのできる光ディスク装置を提供する。【解決手段】  本体１３内部に積層されているトレイ２０に光ディスク１２を収納する際に、トレイ２０に設けられている保持部２１が光ディスク１２を保持するが、保持部２１は、光ディスク１２のラベル面１２ａ側から光ディスク１２を保持するので、トレイ２０に切欠きを設けることなくラベル面１２ａと反対側の記録面１２ｂを開放することができる。これにより、トレイ２０の剛性を確保することができる。【選択図】  図２
2006059484.tif 000002
【特許請求の範囲】
【請求項１】
複数の光ディスクを内部に収納可能な本体と、前記本体の内部において前記各光ディスクを個別に保持する積層された複数のトレイとを備えた光ディスク装置であって、
前記各トレイは、前記各光ディスクを保持する保持部が設けられている光ディスク装置であって、
前記保持部が、前記光ディスクのラベル面側から前記光ディスクを保持する各トレイが保持する光ディスクのラベル面側にそれぞれディスク保持面が設けられた光ディスク装置。
【請求項２】
前記トレイに保持された光ディスクの記録面と接触可能な保持部を有し、前記トレイと前記保持部とで前記光ディスクを挟持する請求項１記載の光ディスク装置。
【請求項３】
前記保持部が、閉時には前記トレイとの協働により前記光ディスクを厚み方向に挟持するとともに半開時には前記光ディスクを前記トレイから離反可能に設けられた保持爪を有する請求項２記載の光ディスク装置。
【請求項４】
前記トレイを昇降するトレイ昇降部を有し、前記トレイ昇降部の昇降動作と前記保持爪の離反動作とが連動する請求項３記載の光ディスク装置。
【発明の詳細な説明】
【技術分野】
【０００１】
本発明は、複数の光ディスクを収納するために複数のトレイを備えた多連奏型の光ディスク装置に関するものである。
【背景技術】
【０００２】
従来より、複数枚の光ディスクを装置の本体内部に収納しておき、所望の光ディスクを選択して記録再生する多連奏型の光ディスク装置が開発されている（例えば特許文献１参照）。
図１２に示すように、この光ディスク装置１００では、本体１０１の前面に、外径１２ｃｍのＣＤ（Compact Disc）やＤＶＤ(Digital Versatile Disc)等の大径ディスク１０２や、外径１２ｃｍの円環形状のアダプタに外径８ｃｍの小径のＣＤが取り付けられた擬似的なディスク等のメディアを挿入するための挿入口１０３が設けられている。本体１０１における挿入口１０３の内側には、搬入方向に直交して搬送ローラ１０４が回転自在に設けられており、挿入口１０３から挿入され外径検知センサ１０５、１０６によって正規のディスクと判断された大径ディスク１０２等を本体内部に搬入するようになっている。
【０００３】
搬送ローラ１０４の後方（図１２において右側）には、複数のトレイ１０７が上下方向に積層して設けられている。このトレイ１０７の後方には、先端にディスク１０２を把持して回転するターンテーブル１０８を有する回動アーム１１０が、回動軸１０９を中心として回動自在に設けられている。回動アーム１１０には、図示省略のピックアップが往復移動自在に設けられており、回動アーム１１０を記録再生位置に回動して位置決めした後に、ピックアップを往復移動させることによりディスク１０２に対して記録再生を行うようになっている。
【特許文献１】特開２００３−３３８１１２号公報（図４）
【発明の開示】
【発明が解決しようとする課題】
【０００４】
ところで、従来の光ディスク装置１００においては、記録再生位置に位置決めされた回動アーム１１０とトレイ１０７とが干渉しないように、トレイ１０７には切欠き１１１が設けられている。従って、トレイ１０７に保持された状態の光ディスク１０２を、直接回動アーム１１０のターンテーブル１０８により保持することができ、回動アーム１１０と干渉することなくトレイ１０７を下げることができるようになっている。
しかしながら、回転アーム１１０とトレイ１０７とが干渉しないように切欠き１１１を設けたためトレイ１０７の外周が連続しておらず、トレイ１０７の剛性が不足して変形しやすいという問題があった。
【０００５】
本発明は、従来の問題を解決するためになされたもので、光ディスクを保持するトレイの剛性を確保することのできる光ディスク装置を提供することを目的とする。
【課題を解決するための手段】
【０００６】
本発明の光ディスク装置は、複数の光ディスクを内部に収納可能な本体と、前記本体の内部において前記各光ディスクを個別に保持する積層された複数のトレイとを備えた光ディスク装置であって、前記各トレイは、各トレイが保持する光ディスクのラベル面側にそれぞれディスク保持面が設けられた構成を有している。
【０００７】
この構成により、本体内部に積層されているトレイに光ディスクを収納する際に、各トレイは、光ディスクのラベル面側から光ディスクを保持するディスク保持面を有するので、トレイに切欠きを設けることなくラベル面と反対側の記録面を開放することができ、トレイの剛性を確保することができる。
【０００８】
また、本発明にかかる光ディスク装置は、前記トレイに保持された光ディスクの記録面と接触可能な保持部を有し、前記トレイと前記保持部とで前記光ディスクを挟持する構成を有している。
【０００９】
この構成により、光ディスクを収納するトレイの剛性を確保することができるとともに、ディスク収納時においては確実に光ディスクを保持することができる。
【００１０】
さらに、本発明にかかる光ディスク装置は、前記保持部が、閉時には前記トレイとの協働により前記光ディスクを厚み方向に挟持するとともに半開時には前記光ディスクを前記トレイから離反可能に設けられた保持爪を有する構成を有している。
【００１１】
この構成により、光ディスクを落下させることなく光ディスクをトレイから離反させることができる。
【００１２】
さらに、本発明にかかる光ディスク装置は、前記トレイを昇降するトレイ昇降部を有し、前記トレイ昇降部の昇降動作と前記保持爪の離反動作とが連動する構成を有している。
【００１３】
この構成により、保持爪の開閉動作とトレイの上下移動動作を連動させることができるため、正確なタイミングで光ディスクのターンテーブルへの載置動作を行うことができる。
【発明の効果】
【００１４】
本発明は、光ディスクを収納するトレイを、光ディスクのラベル面側から光ディスクを保持する構成としたので、トレイに切欠きを設けることなくラベル面と反対側の記録面を開放することができる。これにより、トレイの剛性を確保することができるという効果を有する光ディスク装置を提供することができるものである。
【発明を実施するための最良の形態】
【００１５】
以下、本発明の実施形態の光ディスク装置について、図面を用いて説明する。
図１には、本発明の実施形態の光ディスク装置１０を内蔵するカーオーディオ装置１の全体斜視図が示されている。
このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部５が設けられている。
【００１６】
図２には、カーオーディオ装置１に内蔵されている本発明の実施形態である光ディスク装置１０の、図１中II−II位置から見た平面図が示されている。
図２に示すように、本発明の実施形態の光ディスク装置１０では、複数の光ディスク１２を内部に収納可能な本体１３と、この本体１３の内部において各光ディスク１２を個別に保持する積層された複数のトレイ２０とを備え、各トレイ２０に、各光ディスク１２を保持する保持部２１が設けられている。保持部２１に回動可能に設けられた保持爪２５が光ディスク１２の記録面１２ｂ側から光ディスク１２を保持するようになっている。
【００１７】
図２および図３に示すように、本体１３内部におけるトレイ２０の近傍（図２中右側）には、先端に光ディスク１２を挟持して回転するターンテーブル３１を有する回動アーム３０が、支軸３２を中心として回動自在に設けられている。
回動アーム３０のサスシャーシ３３には、図示省略の光ヘッドを備えたピックアップ３４が支軸３２とターンテーブル３１の中心とを結ぶ方向に沿って往復移動自在に設けられており、駆動モータ３５によって回転されるリードスクリュ３６によって移動するようになっている。
なお、挿脱口１１の本体１３内側には、上下対を成す搬送ローラ１４が設けられており、挿脱口１１に挿入された光ディスク１２を搬入したり、記録再生が完了した光ディスク１２を挿脱口１１から排出するようになっている。
【００１８】
図２および図３に示すように、トレイ２０の外周部には光ディスク１２の径方向外側に延長した拡幅部２２が設けられており、この拡幅部２２に、光ディスク１２のラベル面１２ａ側（図７では上側）から光ディスク１２を抱きかかえるようにして保持する保持部２１が複数箇所（図２では例えば２箇所）設けられている。
なお、各トレイ２０は、シャフト１６に沿って上下移動自在となっている。
【００１９】
図４（Ａ）（Ｂ）には、保持部２１の具体例が示されている。保持部２１は、トレイ２０の拡幅部２２に取り付けられる保持部本体２３と、この保持部本体２３に回動可能に設けられている回動軸２４と、この回動軸２４に一体的に設けられていて光ディスク１２を厚み方向に挟持可能な保持爪２５を有している。
すなわち、保持爪２５の閉時（図４（Ａ）および図７参照）には、保持爪２５とトレイ２０との協働により光ディスク１２を厚み方向に挟持する。
【００２０】
図５に示すように、保持部本体２３には、回動軸２４を収容する回動軸収容部２３ａが保持部本体２３の長手方向に沿って設けられており、回動軸収容部２３ａの一部に連続して保持爪２３を収容する切欠き２３ｂが設けられている。切欠き２３ｂの一方（図５において右側）の壁にはテーパ部２３ｃが設けられており、このテーパ部２３ｃに対向する保持爪２５の端部には、同様のテーパ部２５ａが設けられている。
また、切欠き２３ｂの他方側（図５において左側）には、テーパを有するテーパ穴２３ｄが形成されており、保持爪２５の図５中左側端部には、テーパ穴２３ｄに入り込むテーパ突起２５ｂが形成されている。
【００２１】
回動軸収容部２３ａの一方の端部である開放側端部（図５において左側端部）には、回動軸収容部２３ａに収容された回動軸２４を回動可能かつ長手方向に移動可能に保持する軸受け２６が取り付けられている。また、回動軸収容部２３ａの他方の端部（図５において右側端部）にはスプリング２７が収容されており、回動軸２４の端部２４ａが嵌入して、常時回動軸２４を軸受け２６側に付勢している。
なお、回動軸２４に一体的に設けられている保持爪２５にはストッパ部２５ｃが設けられているので、スプリング２７により軸受け２６側に付勢されても、回動軸２４は図４（Ａ）に示す位置より左には移動しない。
【００２２】
従って、常時は、図４（Ａ）に示すように、スプリング２７により回動軸２４が左側へ押されて、保持爪２５は閉状態（保持部本体２３と平行な状態）となるので光ディスク１２を保持することができる。一方、回動軸２４の端部２４ｂを図４（Ａ）中右方向へ押圧すると、保持爪２５のテーパ部２５ａが保持部本体２３の切欠き２３ｂに設けられているテーパ部２３ｃに沿って移動し、保持爪２５は下方へ回動して半開状態（図４（Ｂ）に示す状態）となるので、光ディスク１２は途中位置まで落下可能となる（図１０参照）。
なお、図４（Ｂ）に示す半開状態において、回動軸２４に作用している押圧力を取り除くと、回動軸２４はスプリング２７の付勢力により図４（Ｂ）中左方向へ移動する。
これにより、保持爪２５のテーパ突起２５ｃ（図５参照）が保持部本体２３側に設けられているテーパ穴２３ｄ内のテーパに沿って移動し、保持爪２５を上方向へ回動させて閉状態（図４（Ａ）の状態）に戻る。
【００２３】
図６に示すように、本体１３の内部には、複数枚のトレイ２０が所定間隔で積層して設けられており、各トレイ２０を互いに押し挟む方向に付勢するスプリング１５がトレイ２０の拡幅部２２の外側に複数箇所（図２参照）設けられている。
なお、トレイ２０の外周部においてはスプリング１５は２本１組で設けられている。
これにより、外部から振動が印加された場合でも、安定した動作を確保することができることになる。また、光ディスク１２の反り量が大きい場合には、トレイ２０を密着させることにより、反り量を強制的に小さくすることができ、光ディスク装置１０の薄型化を図ることができる。
【００２４】
以上のように構成された光ディスク装置１０について、図７〜図１０を用いてその動作を説明する。
図７に示すように、各光ディスク１２は、ラベル面１２ａを上側にし、情報が記録される記録面１２ｂを下側にして、ラベル面１２ａ側のトレイ２０すなわち上側のトレイ１２の保持爪２５により保持されている。この状態では、保持爪２５は、図４（Ａ）に示したような閉状態となっている。
【００２５】
次に、所望の光ディスク１２Ａを選択し、図７に示すように、所望の光ディスク１２Ａの下側に作業空間Ｓを形成する。この場合、各トレイ２０が上側にある場合には所望の光ディスク１２Ａの下側にあるトレイ２０を下降させることにより作業空間Ｓを形成することができる。
また、各トレイ２０が下側にある場合には、所望の光ディスク１２Ａを保持しているトレイ２０Ａおよびこのトレイ２０Ａより上側のトレイ２０を持ち上げることにより作業空間Ｓを形成することができる。
【００２６】
図８に示すように、回動アーム３０を作業空間Ｓに対応して上下移動させるとともに回動させて図３に示すような記録再生位置に位置決めする。
次いで、図９に示すように、所望の光ディスク１２Ａを収納しているトレイ２０Ａを下降させ、図４において前述したように保持部２１の回動軸２４を図示しない押圧部材が押圧して、図１０に示すように保持爪２５を半開き状態まで開く。
これにより、所望の光ディスク１２Ａは保持爪２５の途中まで下降して、ターンテーブル３１の上に載置される。また、押圧部材はトレイ２０を上下に動かすためのトレイ昇降部としてのカムなどを利用して動作させる。これにより、押圧部材の押圧動作（すなわち、保持爪２５の開閉動作）とトレイの上下移動動作を連動させることができるため、正確なタイミングで光ディスク１２Ａのターンテーブル３１への大地動作を行うことができる。
さらに、ターンテーブル３１は光ディスク１２Ａをクランプして回転し、ピックアップ３４をサスシャーシ３３に沿って移動させて、光ディスク１２Ａに対して記録再生を行う。
【００２７】
記録再生が終了したら、前述した手順を逆に行う。すなわち、図１０において、ターンテーブル３１が光ディスク１２Ａをアンクランプした後、保持部２１の回動軸２４に作用している押圧力を取り除いて保持爪２５を上方へ回動させて、図９に示すように光ディスク１２Ａを持ち上げて保持する。
図８に示すように、光ディスク１２Ａがターンテーブル３１に干渉しない位置までトレイ２０Ａを上昇させて、図７に示すように回動アーム３０を記録再生位置から待機位置に回動させる。その後、作業空間Ｓをなくすように各トレイ２０を上昇または加工下降させて、光ディスク１２の収納状態に復帰する。
【００２８】
なお、保持部２１の別の形態として、図１１（Ａ）に示すようなものも考えられる。すなわち、収納されている光ディスク１２のディスク面と垂直方向に延在する軸を中心に保持部２１がディスク面と平行に回動可能に動作させることで保持部２１の先端部にある保持爪２５とトレイ２０とでディスク１２を挟持するものである。
但し、図１１（Ｂ）に示すように、収納する光ディスク１２が沿っている場合においては光ディスク１２の反りの部分によって、保持部２１の回動動作が妨げられてしまい、光ディスク１２を保持できないことも考えられる。
従って、図１１（ｃ）にも示すように、保持部２１がディスク面に対して上下方向に回動動作するのが有利である。
【００２９】
以上のように本発明の実施形態の光ディスク装置１０によれば、光ディスク１２を収納する保持爪２５を設けて、トレイ２０が光ディスク１２を上側（ラベル面１２ａ側）から抱きかかえるように保持する保持面２０ａを有するので、従来のようにトレイ２０に切欠きを設けることなく光ディスク１２の記録面１２ｂを開放することができる。これにより、トレイ２０の外周を連続して設けることができるため、トレイ２０の剛性を確保することができる。
【００３０】
さらに、トレイ２０の剛性が確保できることに伴い、外部からの振動などの要因によるトレイ２０の変形が防止できるため光ディスク１２の保持位置の安定が図れる。光ディスク１２の保持位置の安定が図れるということは、すなわち、光ディスク１２のローディング動作、イジェクト動作、あるいは再生動作などにおける動作エラーを防止することができ、また、トレイ２０の変形によって光ディスク１２が傷つくことも防止することが可能になる。
なお、本実施の形態においては、トレイ２０の外周を全周にわたって連続させる構成としていたが、トレイ２０の剛性が確保できる程度であれば、途中に切欠きがあっても問題ない。
また、保持爪２５は、半開き状態に開くことができるので、光ディスク１２Ａをターンテーブル３１上に落下させて載置する際に、万が一ターンテーブル３１上に載置できなくても、光ディスク１２Ａが完全に落下してしまうのを防止することができる。
【００３１】
なお、前述した実施形態にかかる光ディスク装置１０においては、ラジオ２やカセットテープ再生装置３等を備えたカーオーディオ装置１に内蔵されている場合について説明したが、その他、光ディスク装置１０が単独の場合についても同様に実施可能である。
また、前述した実施形態にかかる光ディスク装置１０においては、保持爪２５が半開状態まで開く場合について説明したが、保持爪２５が完全に開くことができるようにすることもできる。
【産業上の利用可能性】
【００３２】
以上のように、本発明に係る光ディスク装置は、光ディスクのラベル面側から光ディスクを保持するので、トレイに切欠きを設けることなくラベル面と反対側の記録面を開放することができる。これにより、トレイの剛性を確保することができるという効果を有し、複数の光ディスクを収納するために複数のトレイを備えた多連奏型の光ディスク装置等として有用である。
【図面の簡単な説明】
【００３３】
【図１】本発明の実施形態の光ディスク装置を内蔵するカーオーディオ装置の全体斜視図
【図２】本発明の実施の形態である光ディスク装置の図１中II−II位置から見た待機状態の平面図
【図３】本発明の実施の形態である光ディスク装置の図１中III−III位置から見た記録再生状態の平面図
【図４】（Ａ）保持状態の保持部を示す斜視図  （Ｂ）半開状態の保持部を示す斜視図
【図５】保持部の分解斜視図
【図６】トレイを互いに密着する方向に付勢している状態を示す断面図
【図７】待機状態において所望のトレイの下側に作業空間を設けた状態を示す断面図
【図８】作業空間の記録再生位置に回動アームを回動させた状態を示す断面図
【図９】保持部を開放して所望の光ディスクをターンテーブル上に載置した状態を示す断面図
【図１０】記録再生状態を示す断面図
【図１１】(Ａ)保持部の別の形態を示す要部平面図  (Ｂ)(Ａ)中Ｂ方向から見た保持爪が閉じた状態を示す側面図  (Ｃ)保持爪が半開きの状態を示す側面図
【図１２】従来の光ディスク装置の平面図
【符号の説明】
【００３４】
１０    光ディスク装置
１２    光ディスク
１２ａ  ラベル面
１２ｂ  記録面
１３    本体
２０    トレイ
２０ａ  ディスク保持面
２１    保持部
２５    保持爪
【図１】
2006059484.tif 000003
【図２】
2006059484.tif 000004
【図３】
2006059484.tif 000005
【図４】
2006059484.tif 000006
【図５】
2006059484.tif 000007
【図６】
2006059484.tif 000008
【図７】
2006059484.tif 000009
【図８】
2006059484.tif 000010
【図９】
2006059484.tif 000011
【図１０】
2006059484.tif 000012
【図１１】
2006059484.tif 000013
【図１２】
2006059484.tif 000014